(57)【特許請求の範囲】
【請求項１】
ワイヤハーネスの電線の端末部に設ける端子を挿入して取り付けるコネクタハウジングを保持するハウジング保持部を有する複数のコネクタ保持部材を配置したワイヤハーネス組立作業台であって、
前記複数のコネクタ保持部材を直線状に密集した状態で整列配置し、かつ、一つの前記コネクタ保持部材を用いた前記ワイヤハーネスの組立作業のために該一つのコネクタ保持部材と隣の前記コネクタ保持部材とを作業に必要な最小限の間隔を空けるようにスライド移動可能に支持した整列スライド支持部
を有し、
前記コネクタ保持部材は、
前記ハウジング保持部を前記整列スライド支持部によるスライド移動方向に直交する方向に可倒可能に支持した可倒部を有し、
前記ハウジング保持部は、
前記コネクタハウジングを嵌め込むことによって固定するハウジング嵌合空間が内部に形成され、
作業者側の面に前記コネクタハウジングの挿入口となる上面開口から前記ハウジング嵌合空間への前記コネクタハウジングの嵌め込み方向に沿ってスリット状に形成され、前記端子を挿入するための電線挿通口を有し、
前記作業者側の面が平面になっており、前記電線挿通口の作業者側の幅方向両縁面には、前記平面側から前記ハウジング嵌合空間内に向けて下り傾斜状に形成された一対の電線ガイド傾斜面を有し、
前記コネクタハウジングの上端面が該ハウジング保持部の前記上面開口から下がった位置となる前記ハウジング嵌合空間の内方に前記コネクタハウジングが配置されるように高さ寸法が調整されている
ことを特徴とするワイヤハーネス組立作業台。
【請求項２】
前記ハウジング保持部は、
保持された前記コネクタハウジングに設けられた複数の端子収容室のうち、当該ワイヤハーネス組立作業台を用いた作業で、前記端子を挿入する前記端子収容室の位置、および、該端子収容室に挿入すべき前記端子を指示する端子挿入作業指示表示を前記端子の挿入側となる前記平面に設けた
ことを特徴とする請求項１に記載のワイヤハーネス組立作業台。
【請求項３】
請求項１または請求項２のいずれかに記載のワイヤハーネス組立作業台を組み込んだワイヤハーネス組立システムであって、
複数の前記ワイヤハーネス組立作業台が複数の作業者の作業位置に自動で巡回することによって、各ワイヤハーネス組立作業台上に段階的に前記ワイヤハーネスが組み立てられる
ことを特徴とするワイヤハーネス組立システム。
【発明の詳細な説明】
【技術分野】
【０００１】
本発明は、複数のコネクタ保持部材を配置したワイヤハーネス組立作業台およびワイヤハーネス組立システムに関する。
【背景技術】
【０００２】
従来、自動車の電気配線に用いるワイヤハーネスを組み立てる場合、作業台上に配置した複数の保持部材によって電線の各部を保持した状態で外装部品等の各種部材を電線に取り付ける作業を行う。
【０００３】
例えば、特許文献１には自動で縦横方向に移動可能な複数の保持部材を設け、ワイヤハーネスの品番毎に保持部材をセットしたり、品番毎に専用の布線板を用意する必要がないワイヤハーネス整形装置が記載されている。
このワイヤハーネス整形装置は、サブワイヤハーネスの組み立てから完成品となるワイヤハーネスの組み立て完了までを一括して行うため、各保持部材を完成品となるワイヤハーネスの展開形状に対応した位置で電線を保持できるように縦横方向の様々な位置に配置する必要ある。そのため、ワイヤハーネス整形装置は、駆動部を設けて自動で各保持部材を所定位置に移動配置するようにしいる。
【０００４】
ところで、サブワイヤハーネスを組み立てる作業台と、複数のサブワイヤハーネスを組み付けてワイヤハーネスを完成させる作業台とを別にしてワイヤハーネスを組み立てる場合がある。この場合、サブワイヤハーネスを組み立てる組立作業台は、電線の端末部に設ける端子を挿入して取り付けるコネクタハウジングを保持する保持部材を含め、電線を保持する保持部材の数がワイヤハーネスを完成させる作業台に比して少なくてすむため、作業台のサイズをコンパクトにすることができる。
【先行技術文献】
【特許文献】
【０００５】
【特許文献１】特開２００６−３５１２１２号公報
【発明の概要】
【発明が解決しようとする課題】
【０００６】
しかしながら、作業台で組み立てるサブワイヤハーネスの種類が多い場合、あるいは、サブワイヤハーネスのコネクタ部分が多い場合、多数のコネクタハウジングを保持部材によって作業台上に保持する必要があり、作業台のコンパクト化が難しくなる。
そこで、コネクタハウジングの保持部材（以下、コネクタ保持部材という。）を密集して配置することによって、作業台をコンパクト化することも考えられるが、作業性が悪くなってしまうという問題があった。
【０００７】
本発明は、上記に鑑みてなされたものであって、作業台をコンパクト化しつつ、多数のコネクタ保持部材を作業台上に配置することができ、しかも、作業性を良くすることができるワイヤハーネス組立作業台およびワイヤハーネス組立システムを提供することを目的とする。
【課題を解決するための手段】
【０００８】
上述した課題を解決し、目的を達成するために、本発明の請求項１に係るワイヤハーネス組立作業台は、ワイヤハーネスの電線の端末部に設ける端子を挿入して取り付けるコネクタハウジングを保持するハウジング保持部を有する複数のコネクタ保持部材を配置したワイヤハーネス組立作業台であって、前記複数のコネクタ保持部材を直線状に密集した状態で整列配置し、かつ、一つの前記コネクタ保持部材を用いた前記ワイヤハーネスの組立作業のために該一つのコネクタ保持部材と隣の前記コネクタ保持部材とを作業に必要な最小限の間隔を空けるようにスライド移動可能に支持した整列スライド支持部を有し、前記コネクタ保持部材は、前記ハウジング保持部を前記整列スライド支持部によるスライド移動方向に直交する方向に可倒可能に支持した可倒部を有し、前記ハウジング保持部は、前記コネクタハウジングを嵌め込むことによって固定するハウジング嵌合空間が内部に形成され、作業者側の面に前記コネクタハウジングの挿入口となる上面開口から前記ハウジング嵌合空間への前記コネクタハウジングの嵌め込み方向に沿ってスリット状に形成され、前記端子を挿入するための電線挿通口を有し、前記作業者側の面が平面になっており、前記電線挿通口の作業者側の幅方向両縁面には、前記平面側から前記ハウジング嵌合空間内に向けて下り傾斜状に形成された一対の電線ガイド傾斜面を有し、前記コネクタハウジングの上端面が該ハウジング保持部の前記上面開口から下がった位置となる前記ハウジング嵌合空間の内方に前記コネクタハウジングが配置されるように高さ寸法が調整されていることを特徴とする。
【００１０】
また、本発明の請求項２に係るワイヤハーネス組立作業台は、上記の発明において、前記ハウジング保持部が、保持された前記コネクタハウジングに設けられた複数の端子収容室のうち、当該ワイヤハーネス組立作業台を用いた作業で、前記端子を挿入する前記端子収容室の位置、および、該端子収容室に挿入すべき前記端子を指示する端子挿入作業指示表示を前記端子の挿入側となる前記平面に設けたことを特徴とする。
【００１１】
上述した課題を解決し、目的を達成するために、本発明の請求項３に係るワイヤハーネス組立システムは、請求項１または請求項２のいずれかに記載のワイヤハーネス組立作業台を組み込んだワイヤハーネス組立システムであって、複数の前記ワイヤハーネス組立作業台が複数の作業者の作業位置に自動で巡回することによって、各ワイヤハーネス組立作業台上に段階的に前記ワイヤハーネスが組み立てられることを特徴とする。
【発明の効果】
【００１２】
本発明の請求項１に係るワイヤハーネス組立作業台は、前記複数のコネクタ保持部材が前記整列スライド支持部によって直線状に密集した状態で整列配置し、かつ、一つの前記コネクタ保持部材を用いた前記ワイヤハーネスの組立作業のために該一つのコネクタ保持部材と隣の前記コネクタ保持部材とを作業に必要な最小限の間隔を空けるようにスライド移動可能に支持されていることによって、前記複数のコネクタ保持部材の配置スペースを小さく抑えることができ、しかも、作業に用いる前記一つのコネクタ保持部材の周りに作業に必要なスペースを確保することができるので、作業台をコンパクト化しつつ、多数のコネクタ保持部材を作業台上に配置することができ、しかも、作業性を良くすることができる。
【００１３】
本発明の請求項１に係るワイヤハーネス組立作業台は、前記可倒部によって前記ハウジング保持部を作業し易い角度に傾けることができることによって、前記ハウジング保持部から前記コネクタハウジングを取り外してから前記コネクタハウジングに前記端子を挿入する必要がなくなり、作業性を向上することができる。
【００１４】
本発明の請求項２に係るワイヤハーネス組立作業台は、前記端子の挿入側の面に設けた前記端子挿入作業指示表示が前記ハウジング保持部を傾けることによって視認し易い位置に配置され、作業者が、当該ワイヤハーネス組立作業台を用いた作業で、前記端子を挿入する前記端子収容室の位置、および、該端子収容室に挿入すべき前記端子を前記端子挿入作業指示表示によって容易に確認することができるので、前記コネクタハウジングへの前記端子の挿入作業を容易にするとともに前記端子の前記コネクタハウジングへの誤組み付けを防止することができる。
【００１５】
本発明の請求項３に係るワイヤハーネス組立システムは、前記複数のコネクタ保持部材が前記整列スライド支持部によって直線状に密集した状態で整列配置し、かつ、一つの前記コネクタ保持部材を用いた前記ワイヤハーネスの組立作業のために該一つのコネクタ保持部材と隣の前記コネクタ保持部材とを作業に必要な最小限の間隔を空けるようにスライド移動可能に支持されていることによって、複数のコネクタ保持部材の配置スペースを小さく抑えることができ、しかも、作業に用いる前記一つのコネクタ保持部材の周りに作業に必要なスペースを確保することができるので、複数のワイヤハーネス組立作業台の作業台をコンパクト化しつつ、多数のコネクタ保持部材を作業台上に配置することができ、しかも、作業性を良くすることができる。
【図面の簡単な説明】
【００１６】
【図１】図１は、本発明の実施例１に係るワイヤハーネス組立システムを概略的に示した図である。
【図２】図２は、本発明の実施例１に係るワイヤハーネス組立作業台の斜視図である。
【図３】図３は、コネクタ保持部材の可倒部周辺を拡大した図である。
【図４】図４は、コネクタ保持部材を斜め上方から視た図である。
【図５】図５は、（ａ）が通常姿勢のコネクタ保持部材の斜視図であり、（ｂ）が可倒部によってハウジング保持部を傾けたコネクタ保持部材の斜視図である。
【図６】図６は、（ａ）が複数のコネクタ保持部材を間隔を空けないように配置している状態を示した図であり、（ｂ）が一つのコネクタ保持部材と隣のコネクタ保持部材とを作業に必要な最小限の間隔を空けるようにコネクタ保持部材をスライド移動した状態を示した図である。
【図７】図７は、（ａ）が、作業者がコネクタ保持部材をスライド移動する様子を示した図であり、（ｂ）が、作業者がコネクタ保持部材のハウジング保持部を傾けつつコネクタハウジングに端子を挿入して取り付ける様子を示した図である。
【図８】図８は、作業者がコネクタ保持部材によって端末部を保持された電線に対して部品の取り付け作業を行う様子を示した図である。
【図９】図９は、本発明の実施例２に係るワイヤハーネス組立作業台の斜視図である。
【図１０】図１０は、（ａ）が可倒部によってハウジング保持部を傾けたコネクタ保持部材の斜視図であり、（ｂ）が端子の挿入側の面からコネクタ保持部材のハウジング保持部周辺を視た図である。
【図１１】図１１は、作業者がコネクタ保持部材のハウジング保持部を傾けつつコネクタハウジングに端子を挿入して取り付ける様子を示した図である。
【発明を実施するための形態】
【００１７】
以下、図面を参照して、本発明に係るワイヤハーネス組立作業台およびワイヤハーネス組立システムの好適な実施例を詳細に説明する。
【実施例１】
【００１８】
図１は、本発明の実施例１に係るワイヤハーネス組立システム１００を概略的に示した図である。図２は、本発明の実施例１に係るワイヤハーネス組立作業台１の斜視図である。図３は、コネクタ保持部材２０の可倒部２３周辺を拡大した図である。図４は、コネクタ保持部材２０を斜め上方から視た図である。図５は、（ａ）が通常姿勢のコネクタ保持部材２０の斜視図であり、（ｂ）が可倒部２３によってハウジング保持部２１を傾けたコネクタ保持部材２０の斜視図である。図６は、（ａ）が複数のコネクタ保持部材２０を間隔を空けないように配置している状態を示した図であり、（ｂ）が一つのコネクタ保持部材２０と隣のコネクタ保持部材２０とを作業に必要な最小限の間隔を空けるようにコネクタ保持部材２０をスライド移動した状態を示した図である。
なお、図１および図２は、作業台１０上にはコネクタ保持部材以外の各種保持部材の図示を省略している。
【００１９】
本発明の実施例１に係るワイヤハーネス組立作業台１は、例えば、自動車の電気配線に用いるワイヤハーネスＷＨを組み立てるためのものである。
このワイヤハーネス組立作業台１は、ワイヤハーネスＷＨの電線Ｗの端末部に設ける端子Ｃを挿入して取り付けるコネクタハウジングＨＧを保持するハウジング保持部２１を有する複数のコネクタ保持部材２０を配置している。
【００２０】
また、本発明の実施例１に係るワイヤハーネス組立システム１００は、ワイヤハーネス組立作業台１を組み込み、複数のワイヤハーネス組立作業台１が複数の作業者Ｈの作業位置に自動で巡回することによって、各ワイヤハーネス組立作業台１上に段階的にワイヤハーネスＷＨが組み立てられるシステムである。
なお、ここでいうワイヤハーネスＷＨとは、いわゆるサブワイヤハーネスである。
【００２１】
このワイヤハーネス組立システム１００は、図１に示すように、複数のワイヤハーネス組立作業台１が、図中右側から左側まで並んだ状態で不図示の駆動機構によって所定の方向（図中矢印Ｄ方向）に同時に移動するようになっている。
なお、左側最終端まで移動したワイヤハーネス組立作業台１は、不図示の移動路を移動して右側端に戻るようになっている。
【００２２】
各作業位置に配置した作業者Ｈは、近傍に移動配置されたワイヤハーネス組立作業台１上にそれぞれが担当する工程に基づいてワイヤハーネスＷＨを組み立てる。
なお、各作業位置には不図示の部品棚等を設置し、各作業者Ｈが電線Ｗへの部品の取り付け作業を容易に行えるようになっている。
【００２３】
このようなワイヤハーネス組立システム１００によって、１つのワイヤハーネス組立作業台１が図中右側端から左側端に移動するまでに、複数の作業者Ｈによる連続した作業によって、所望のワイヤハーネスＷＨを組み立てることができるようになっている。
【００２４】
次に、ワイヤハーネス組立作業台１について詳細に説明する。
ワイヤハーネス組立作業台１は、複数のコネクタ保持部材２０を含めた電線Ｗを保持するための各種保持部材と、各種保持部材を配置する作業面１０ａを設けた作業台１０と、複数のコネクタ保持部材２０を作業面１０ａ上でスライド移動可能に支持した整列スライド支持部３０と、を有する。
なお、この実施例１では、９つのコネクタ保持部材２０を作業面１０ａに配置するものを例示したが、作業面１０ａに配置するコネクタ保持部材２０の数は９つに限らない。
【００２５】
コネクタ保持部材２０は、コネクタハウジングＨＧを保持するハウジング保持部２１と、ハウジング保持部２１を作業面１０ａ上の所定の高さに位置するように支持した柱状支持部２２と、ハウジング保持部２１と柱状支持部２２との間でハウジング保持部２１を可倒可能に支持した可倒部２３と、を有する。
【００２６】
ハウジング保持部２１は、絶縁性の合成樹脂材からなる略直方体形状のブロック状をなし、コネクタハウジングＨＧを嵌め込むことによって固定するハウジング嵌合空間２１ａを内部に形成している。
【００２７】
ハウジング嵌合空間２１ａは、ハウジング保持部２１の上面開口２１ｂに連続する空間であり、上面開口２１ｂからコネクタハウジングＨＧを挿入することによって、空間内部にコネクタハウジングＨＧを嵌め込むことができるようになっている。
【００２８】
また、ハウジング保持部２１は、作業者側の面に上面開口２１ｂからハウジング嵌合空間２１ａへのコネクタハウジングＨＧの嵌め込み方向に沿ってスリット状に形成した電線挿通口２１ｃを有する。
【００２９】
電線挿通口２１ｃは、ハウジング保持部２１内に嵌め込んだコネクタハウジングＨＧに電線Ｗの端末部の端子Ｃを挿入するための開口である。
【００３０】
また、電線挿通口２１ｃは、電線Ｗの端末部の端子Ｃを挿入した状態のコネクタハウジングＨＧをハウジング保持部２１から取り外す際、コネクタハウジングＨＧとともに電線Ｗをハウジング保持部２１の上面開口２１ｂに誘導するための開口としても機能している。
【００３１】
可倒部２３は、ハウジング保持部２１を整列スライド支持部３０によるスライド移動方向に直交する方向に可倒可能に支持したものである。
この可倒部２３は、柱状支持部２２の上端面に連結する連結部２４と、連結部２４とハウジング保持部２１とを互いに連結する蝶番２５と、を有する。
【００３２】
連結部２４は、Ｌ字に屈曲した板状部材であり、Ｌ字の１辺を形成する壁２４ａがハウジング保持部２１の底面に略平行になるように、かつ、Ｌ字のもう一方の辺を形成する壁２４ｂがハウジング保持部２１の底面２１ｄ側に向くように柱状支持部２２に連結する。
【００３３】
蝶番２５は、一対の蝶番片２５ａ、２５ａのうち、一方の蝶番片２５ａをハウジング保持部２１の底面２１ｄに固定し、他方の蝶番片２５ａを連結部２４のハウジング保持部２１の底面２１ｄ側に向く壁２４ｂの壁面に固定している。
【００３４】
また、蝶番２５は、不図示のバネ材等の弾性部材を組み込むことによって、ハウジング保持部２１を傾きの無い姿勢に戻す力が作用するようになっている。
このため、作業者がハウジング保持部２１に外力を付加している間だけハウジング保持部２１が任意の角度で傾くようになっている。
【００３５】
このような可倒部２３は、図５に示すように、ハウジング保持部２１を押圧することよってハウジング保持部２１を傾けるように可動することができる。
【００３６】
なお、可倒部２３は、ハウジング保持部２１の傾斜角度が大きくなると、ハウジング保持部２１の底面２１ｄが連結部２４のハウジング保持部２１の底面に略平行な壁２４ａに当接することによって、ハウジング保持部２１の傾斜角度を制限することができるようになっている。
【００３７】
また、可倒部２３は、蝶番２５に組み込んだ弾性部材の作用によって、ハウジング保持部２１を傾きの無い姿勢に戻すようになっているので、その復元力に反してハウジング保持部２１に外力を負荷することによって、可倒部２３による可動範囲内の任意の角度でハウジング保持部２１を傾けることができるようになっている。
このため、作業者は、ハウジング保持部２１を押圧することよって、所望の角度でハウジング保持部２１を傾けることができる。
【００３８】
整列スライド支持部３０は、複数のコネクタ保持部材２０を直線状に密集した状態で整列配置し、かつ、一つのコネクタ保持部材２０を用いたワイヤハーネスの組立作業のために該一つのコネクタ保持部材２０と隣のコネクタ保持部材２０とを作業に必要な最小限の間隔を空けるようにスライド移動可能に支持したものである。
【００３９】
この整列スライド支持部３０は、一対のガイドレール３１、３１と、各コネクタ保持部材２０の柱状支持部２２の底部を固定する複数のスライド板部３２と、を有する。
【００４０】
一対のガイドレール３１、３１は、図６に示すように、各スライド板部３２をスライド移動可能に支持したものである。この一対のガイドレール３１、３１は、例えば、スライド板部３２の裏面に設けた不図示のローラ等の摺動ガイド機構に摺接することによって、スライド板部３２のスライド方向への移動をガイドするようになっている。
【００４１】
この一対のガイドレール３１、３１は、スライド方向の長さを、複数のコネクタ保持部材２０に対応した複数のスライド板部３２をガイドレール３１上に隙間無く載せることができる長さに、一つのコネクタ保持部材２０と隣のコネクタ保持部材２０とを作業に必要な間隔を空けることができる必要最小限のスライド移動距離を加えた長さに調整している。
これにより、複数のコネクタ保持部材２０を作業面１０ａ上に配置するためのスペースを極力小さく抑えることができるようになっている。
なお、「作業に必要な間隔」とは、より具体的には、一つのコネクタ保持部材２０に保持されたコネクタハウジングＨＧに端子Ｃを挿入する際に、隣のコネクタ保持部材２０が邪魔にならずに作業できる間隔であり、ワイヤハーネス組立作業台１によって行われる作業内容に応じて適宜設定されるものである。
【００４２】
このようなコネクタ保持部材２０は、コネクタハウジングＨＧの保持部材として、コネクタハウジングＨＧに電線Ｗの端末部に設けた端子Ｃを挿入して取り付ける作業を補助する機能をなすとともに、電線Ｗの端末部の端子ＣをコネクタハウジングＨＧに取り付けると、コネクタハウジングＨＧを介して電線Ｗの端末部を保持する電線Ｗの保持部材としても機能している。
【００４３】
次に、図７および図８を用いて、作業者がワイヤハーネス組立作業台１を用いて行うワイヤハーネスＷＨの組み立て手順をコネクタハウジングＨＧに電線Ｗの端末部の端子Ｃを挿入して取り付ける作業手順を示して説明する。
図７は、（ａ）が、作業者Ｈがコネクタ保持部材２０をスライド移動する様子を示した図であり、（ｂ）が、作業者Ｈがコネクタ保持部材２０のハウジング保持部２１を傾けつつコネクタハウジングＨＧに端子Ｃを挿入して取り付ける様子を示した図である。図８は、作業者Ｈがコネクタ保持部材２０によって端末部を保持された電線Ｗに対して部品の取り付け作業を行う様子を示した図である。
【００４４】
作業者Ｈは、端子Ｃを挿入するコネクタハウジングＨＧを保持したコネクタ保持部材２０と隣のコネクタ保持部材２０との間隔を空けるようにコネクタ保持部材２０をスライド移動する（図７（ａ）参照）。
これにより作業に用いる一つのコネクタ保持部材２０の周りに作業をするためのスペースを確保することができる。
ここで、一つのコネクタ保持部材２０と隣のコネクタ保持部材２０との間隔は、整列スライド支持部３０によって作業に必要な最小限の間隔を空けることしかできないようにスライド移動距離が調整されているので、その他のコネクタ保持部材２０は略隙間なく整列配置されている。
【００４５】
その後、作業者Ｈは、ハウジング保持部２１を押圧することによって作業し易い角度で傾けつつ、端子ＣをコネクタハウジングＨＧに挿入して取り付ける（図７（ｂ）参照）。
ここで、作業者は、ハウジング保持部２１を押圧することによって、電線挿通口２１ｃからコネクタハウジングＨＧの不図示の端子収容室を視認し易い角度にハウジング保持部２１を傾けることがでる。
これにより、作業者は、ハウジング保持部２１からコネクタハウジングＨＧを取り外してからコネクタハウジングＨＧに端子を挿入する必要がなくなり、コネクタハウジングＨＧに端子Ｃを容易に挿入することができる。
【００４６】
このようにして、コネクタハウジングＨＧへの端子Ｃの挿入が完了すると、電線ＷはコネクタハウジングＨＧを介してコネクタ保持部材２０によって端末部を保持された状態となり、その後の作業では電線Ｗに対して各種部品を取り付ける作業が行い易くなる。
【００４７】
また、このようにコネクタ保持部材２０によって端末部を保持された電線Ｗに対して各種部品の取り付け作業を行う場合にも、図８に示すように、コネクタ保持部材２０をスライド移動することによって、電線Ｗを保持するコネクタ保持部材２０と隣のコネクタ保持部材２０との間に作業に必要な最小限の間隔を空けることができる。
【００４８】
また、ワイヤハーネス組立システム１００で、前の作業工程で複数のコネクタ保持部材２０によって複数の電線Ｗが保持された状態になっている場合、次の作業者による作業は、各コネクタ保持部材２０によって端末部を保持した電線Ｗ同士が絡まり易くなってしまう。
そのような場合、作業者は、電線Ｗを保持するコネクタ保持部材２０の間隔を空けて電線Ｗに対して部品の取り付け作業を行うことになる。
【００４９】
本発明の実施例１に係るワイヤハーネス組立作業台１は、複数のコネクタ保持部材２０が整列スライド支持部３０によって直線状に密集した状態で整列配置し、かつ、一つのコネクタ保持部材２０を用いたワイヤハーネスの組立作業のために該一つのコネクタ保持部材２０と隣のコネクタ保持部材２０とを作業に必要な最小限の間隔を空けるようにスライド移動可能に支持されていることによって、複数のコネクタ保持部材２０の配置スペースを小さく抑えることができ、しかも、作業に用いる一つのコネクタ保持部材２０の周りに作業に必要なスペースを確保することができるので、作業台１０をコンパクト化しつつ、多数のコネクタ保持部材２０を作業台上に配置することができ、しかも、作業性を良くすることができる。
【００５０】
また、本発明の実施例１に係るワイヤハーネス組立作業台１は、可倒部２３によってハウジング保持部２１を作業し易い角度に傾けることができることによって作業性を向上することができる。
【００５１】
また、本発明の実施例１に係るワイヤハーネス組立システム１００は、複数のコネクタ保持部材２０が整列スライド支持部３０によって直線状に密集した状態で整列配置し、かつ、一つのコネクタ保持部材２０を用いたワイヤハーネスの組立作業のために該一つのコネクタ保持部材２０と隣のコネクタ保持部材２０とを作業に必要な最小限の間隔を空けるようにスライド移動可能に支持されていることによって、複数のコネクタ保持部材２０の配置スペースを小さく抑えることができ、しかも、作業に用いる一つのコネクタ保持部材２０の周りに作業に必要なスペースを確保することができるので、複数のワイヤハーネス組立作業台１の作業台１０をコンパクト化しつつ、多数のコネクタ保持部材２０を作業台１０上に配置することができ、しかも、作業性を良くすることができる。
【実施例２】
【００５２】
次に、図９−図１１を用いて、本発明の実施例２に係るワイヤハーネス組立作業台について説明する。
図９は、本発明の実施例２に係るワイヤハーネス組立作業台２の斜視図である。図１０は、（ａ）が可倒部２３によってハウジング保持部２１を傾けたコネクタ保持部材２０の斜視図であり、（ｂ）が端子Ｃの挿入側の面からコネクタ保持部材２０のハウジング保持部２１周辺を視た図である。図１１は、作業者がコネクタ保持部材２０のハウジング保持部２１を傾けつつコネクタハウジングＨＧに端子Ｃを挿入して取り付ける様子を示した図である。
この実施例２に係るワイヤハーネス組立作業台２は、ハウジング保持部２１に端子挿入作業指示表示４０を設けている点で、実施例１のワイヤハーネス組立作業台１と異なる。
なお、その他の構成は実施例１と同様であり、実施例１と同一構成部分には同一符号を付している。
また、このワイヤハーネス組立作業台２は、実施例１と同様に、ワイヤハーネス組立システム１００に組み込まれている。
【００５３】
ハウジング保持部２１は、保持されたコネクタハウジングＨＧに設けられた複数の端子収容室Ｒのうち、当該ワイヤハーネス組立作業台２を用いた作業で、端子Ｃを挿入する端子収容室Ｒの位置、および、該端子収容室Ｒに挿入すべき端子Ｃを指示する端子挿入作業指示表示４０が端子Ｃの挿入側の面に設けられている。
端子挿入作業指示表示４０は、一例として、カラーシールを用いており、ハウジング保持部２１の端子Ｃの挿入側の面にハウジング保持部２１に保持された状態のコネクタハウジングＨＧの端子収容室Ｒの横に並ぶ位置に貼り付けられている。
【００５４】
この端子挿入作業指示表示４０の色は、種類ごとに色分けされた電線Ｗの色に対応している。すなわち、端子Ｃを電線Ｗの色と同じ色の端子挿入作業指示表示４０の横に並ぶ端子収容室Ｒに挿入するようになっている。
なお、コネクタハウジングＨＧの複数の端子収容室Ｒには、このワイヤハーネス組立作業台２での作業の前の作業工程で既にいくつかの端子Ｃが挿入されている。このため、端子挿入作業指示表示４０は、複数の端子収容室Ｒのうち、このワイヤハーネス組立作業台２で端子Ｃを挿入する必要がある端子収容室Ｒだけに対応してその端子収容室Ｒの横に並んで貼り付けられている。
【００５５】
より具体的には、図１０（ｂ）に示すように、コネクタハウジングＨＧの６つの端子収容室Ｒのうち、４つの端子収容室Ｒにはこのワイヤハーネス組立作業台２での作業の前に端子Ｃが挿入された状態にあり、残りの２つの端子収容室Ｒの横に並ぶように２つの端子挿入作業指示表示４０が貼り付けられている。
【００５６】
なお、端子挿入作業指示表示４０は、ワイヤハーネス組立作業台２を用いた作業で、端子Ｃを挿入する端子収容室Ｒに対応して貼り付けていればよく、全ての端子収容室Ｒに対応して貼り付ける場合もあれば、このワイヤハーネス組立作業台２による作業の後に端子Ｃが挿入される端子収容室Ｒがある場合には、その端子収容室Ｒの横には貼り付けないようにする場合もある。
また、コネクタハウジングＨＧは、端子収容室Ｒの数が６つであるものを例示したが、端子収容室Ｒの数はこれに限らず複数あればよい。
【００５７】
このようなワイヤハーネス組立作業台２を用いて端子ＣをコネクタハウジングＨＧに挿入する場合、作業者Ｈは、実施例１と同様にして端子Ｃを挿入するコネクタハウジングＨＧを保持したコネクタ保持部材２０と隣のコネクタ保持部材２０との間隔を空けるようにコネクタ保持部材２０をスライド移動した後、図１１に示すように、ハウジング保持部２１を押圧することによって作業し易い角度で傾けつつ、端子ＣをコネクタハウジングＨＧに挿入して取り付ける。
ここで、作業者Ｈは、ハウジング保持部２１を傾けることによって、端子Ｃの挿入側の面に設けた端子挿入作業指示表示４０が視認し易くなっているため、端子挿入作業指示表示４０の貼り付け位置、および、その色を確認し、同じ色の電線Ｗに設けた端子Ｃをその端子挿入作業指示表示４０の横に位置する端子収容室Ｒに挿入することができる。
【００５８】
本発明の実施例２に係るワイヤハーネス組立作業台２は、実施例１のワイヤハーネス組立作業台１と同様の効果を奏するとともに、端子Ｃの挿入側の面に設けた端子挿入作業指示表示４０がハウジング保持部２１を傾けることによって視認し易い位置に配置され、作業者が、ワイヤハーネス組立作業台２を用いた作業で、端子Ｃを挿入する端子収容室Ｒの位置、および、端子収容室Ｒに挿入すべき端子Ｃを端子挿入作業指示表示４０によって容易に確認することができるので、コネクタハウジングＨＧへの端子Ｃの挿入作業を容易にするとともに端子ＣのコネクタハウジングＨＧへの誤組み付けを防止することができる。
【００５９】
なお、本発明の実施例１および２に係るワイヤハーネス組立作業台１、２は、作業者によって押圧していないときには、ハウジング保持部２１が傾きの無い姿勢に戻るものを例示したが、これに限らず、ハウジング保持部２１を複数の傾き角度で保持できる構造にしても構わない。
【００６０】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００６１】
１、２      ワイヤハーネス組立作業台
１０    作業台
１０ａ  作業面
２０    コネクタ保持部材
２１    ハウジング保持部
２１ａ  ハウジング嵌合空間
２１ｂ  上面開口
２１ｃ  電線挿通口
２１ｄ  底面
２２    柱状支持部
２３    可倒部
２４    連結部
２４ａ、２４ｂ  壁
２５    蝶番
２５ａ  蝶番片
３０    整列スライド支持部
３１    ガイドレール
３２    スライド板部
４０    端子挿入作業指示表示
Ｃ      端子
Ｗ      電線
ＷＨ    ワイヤハーネス
ＨＧ    コネクタハウジング
Ｒ    端子収容室
１００  ワイヤハーネス組立システム
【図１】
0006784452.tif 000002
【図２】
0006784452.tif 000003
【図３】
0006784452.tif 000004
【図４】
0006784452.tif 000005
【図５】
0006784452.tif 000006
【図６】
0006784452.tif 000007
【図７】
0006784452.tif 000008
【図８】
0006784452.tif 000009
【図９】
0006784452.tif 000010
【図１０】
0006784452.tif 000011
【図１１】
0006784452.tif 000012